【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
端末とＮｏｄｅ Ｂを含む通信システムにおいてアップリンク制御情報（ＵＣＩ）を伝送する方法であって、
無線リソース制御（ＲＲＣ）シグナリングを通じて、物理アップリンク共有チャンネル（ＰＵＳＣＨ）及び物理アップリンク制御チャンネル（ＰＵＣＣＨ）の同時送信を示す設定情報を決定するステップと、
ダウンリンクデータを受信するステップと、
一つのサブフレームを通じて伝送される、ハイブリッド自動再送要求確認応答（ＨＡＲＱ−ＡＣＫ）及びチャンネル品質指示子（ＣＱＩ）のうち少なくとも一つを含む前記ＵＣＩを生成するステップと、
前記サブフレームでＰＵＳＣＨが伝送されるか否かを決定するステップと、
前記ＰＵＳＣＨ及びＰＵＣＣＨの同時送信を示す前記設定情報及び前記ＰＵＳＣＨが前記サブフレームで伝送されるか否かに関する前記決定に基づいて、前記ＰＵＳＣＨ及びＰＵＣＣＨのうち少なくとも一つで前記ＵＣＩを伝送するステップと、
を含むことを特徴とする伝送方法。
【請求項２】
前記ＰＵＳＣＨ及びＰＵＣＣＨの同時送信を示す前記設定情報は、１ビット２進数値を有することを特徴とする請求項１に記載の伝送方法。
【請求項３】
前記設定情報が前記ＰＵＳＣＨ及びＰＵＣＣＨの同時送信が設定されていないことを示し、前記ＰＵＳＣＨが前記サブフレームで伝送される場合、前記ＵＣＩは、前記ＰＵＳＣＨで伝送されることを特徴とする請求項１または２に記載の伝送方法。
【請求項４】
前記設定情報が前記ＰＵＳＣＨ及びＰＵＣＣＨの同時送信が設定されたことを示し、前記ＰＵＳＣＨが前記サブフレームで伝送されない場合、前記ＵＣＩは、前記ＰＵＣＣＨで伝送されることを特徴とする請求項１または２に記載の伝送方法。
【請求項５】
前記設定情報が前記ＰＵＳＣＨ及びＰＵＣＣＨの同時送信が設定されたことを示し、前記ＰＵＳＣＨが前記サブフレームで伝送される場合、前記ＵＣＩは、追加条件に従って前記ＰＵＳＣＨ及び前記ＰＵＣＣＨのうち少なくとも一つで伝送されることを特徴とする請求項１または２に記載の伝送方法。
【請求項６】
前記追加条件は、前記ＵＣＩの伝送のためのリソースの量であることを特徴とする請求項５に記載の伝送方法。
【請求項７】
前記設定情報が前記ＰＵＳＣＨ及びＰＵＣＣＨの同時送信が設定されたことを示し、前記ＰＵＳＣＨが前記サブフレームで伝送される場合、前記ＨＡＲＱ−ＡＣＫは、前記ＰＵＣＣＨで伝送され、前記ＣＱＩは、前記ＰＵＳＣＨで伝送されることを特徴とする請求項１，２，５のいずれか一項に記載の伝送方法。
【請求項８】
端末とＮｏｄｅ Ｂを含む通信システムにおいてアップリンク制御情報（ＵＣＩ）を受信する方法であって、
無線リソース制御（ＲＲＣ）シグナリングを通じて、一つのサブフレームで物理アップリンク共有チャンネル（ＰＵＳＣＨ）及び物理アップリンク制御チャンネル（ＰＵＣＣＨ）の同時送信を示す設定情報を決定するステップと、
ダウンリンクデータを送信するステップと、
ＰＵＳＣＨ及びＰＵＣＣＨの同時送信を示す設定情報及びＰＵＳＣＨが前記サブフレームで伝送されるか否かに基づいて、前記ＰＵＳＣＨ及びＰＵＣＣＨのうち少なくとも一つで前記ＵＣＩを受信するステップと、
を含み、
前記ＵＣＩは、前記サブフレームを通じて伝送される、ハイブリッド自動再送要求確認応答（ＨＡＲＱ−ＡＣＫ）及びチャンネル品質指示子（ＣＱＩ）のうち少なくとも一つを含むことを特徴とする受信方法。
【請求項９】
前記ＰＵＳＣＨ及びＰＵＣＣＨの同時送信を示す前記設定情報は、１ビット２進数値を有することを特徴とする請求項８に記載の受信方法。
【請求項１０】
前記設定情報が前記ＰＵＳＣＨ及びＰＵＣＣＨの同時送信が設定されていないことを示し、前記ＰＵＳＣＨが前記サブフレームで伝送される場合、前記ＵＣＩは、前記ＰＵＳＣＨで受信されることを特徴とする請求項８または９に記載の受信方法。
【請求項１１】
前記設定情報が前記ＰＵＳＣＨ及びＰＵＣＣＨの同時送信が設定されたことを示し、前記ＰＵＳＣＨが前記サブフレームで伝送されない場合、前記ＵＣＩは、前記ＰＵＣＣＨで受信されることを特徴とする請求項８または９に記載の受信方法。
【請求項１２】
前記設定情報が前記ＰＵＳＣＨ及びＰＵＣＣＨの同時送信が設定されたことを示し、前記ＰＵＳＣＨが前記サブフレームで伝送される場合、前記ＵＣＩは、追加条件に従って前記ＰＵＳＣＨ及び前記ＰＵＣＣＨのうち少なくとも一つで受信されることを特徴とする請求項８または９に記載の受信方法。
【請求項１３】
前記追加条件は、前記ＵＣＩの受信のためのリソースの量であることを特徴とする請求項１２に記載の受信方法。
【請求項１４】
前記設定情報が前記ＰＵＳＣＨ及びＰＵＣＣＨの同時送信が設定されたことを示し、前記ＰＵＳＣＨが前記サブフレームで伝送される場合、前記ＨＡＲＱ−ＡＣＫは、前記ＰＵＣＣＨで受信され、前記ＣＱＩは、前記ＰＵＳＣＨで受信されることを特徴とする請求項８，９，１２のいずれか一項に記載の受信方法。
【請求項１５】
端末とＮｏｄｅ Ｂを含む通信システムにおいてアップリンク制御情報（ＵＣＩ）を伝送する装置であって、
無線リソース制御（ＲＲＣ）シグナリングを通じて、物理アップリンク共有チャンネル（ＰＵＳＣＨ）及び物理アップリンク制御チャンネル（ＰＵＣＣＨ）の同時送信を示す設定情報を決定し、
ダウンリンクデータを受信し、
一つのサブフレームを通じて伝送される、ハイブリッド自動再送要求確認応答（ＨＡＲＱ−ＡＣＫ）及びチャンネル品質指示子（ＣＱＩ）のうち少なくとも一つを含む前記ＵＣＩを生成し、
前記サブフレームでＰＵＳＣＨが伝送されるか否かを決定し、
前記ＰＵＳＣＨ及びＰＵＣＣＨの同時送信を示す前記設定情報及び前記ＰＵＳＣＨが前記サブフレームで伝送されるか否かに関する前記決定に基づいて、前記ＰＵＳＣＨ及びＰＵＣＣＨのうち少なくとも一つで前記ＵＣＩを伝送することを特徴とする伝送装置。
【請求項１６】
前記ＰＵＳＣＨ及びＰＵＣＣＨの同時送信を示す前記設定情報は、１ビット２進数値を有することを特徴とする請求項１５に記載の伝送装置。
【請求項１７】
前記設定情報が前記ＰＵＳＣＨ及びＰＵＣＣＨの同時送信が設定されていないことを示し、前記ＰＵＳＣＨが前記サブフレームで伝送される場合、前記ＵＣＩは、前記ＰＵＳＣＨで伝送されることを特徴とする請求項１５または１６に記載の伝送装置。
【請求項１８】
前記設定情報が前記ＰＵＳＣＨ及びＰＵＣＣＨの同時送信が設定されたことを示し、前記ＰＵＳＣＨが前記サブフレームで伝送されない場合、前記ＵＣＩは、前記ＰＵＣＣＨで伝送されることを特徴とする請求項１５または１６に記載の伝送装置。
【請求項１９】
前記設定情報が前記ＰＵＳＣＨ及びＰＵＣＣＨの同時送信が設定されたことを示し、前記ＰＵＳＣＨが前記サブフレームで伝送される場合、前記ＵＣＩは、追加条件に従って前記ＰＵＳＣＨ及び前記ＰＵＣＣＨのうち少なくとも一つで伝送されることを特徴とする請求項１５または１６に記載の伝送装置。
【請求項２０】
前記追加条件は、前記ＵＣＩの伝送のためのリソースの量であることを特徴とする請求項１９に記載の伝送装置。
【請求項２１】
前記設定情報が前記ＰＵＳＣＨ及びＰＵＣＣＨの同時送信が設定されたことを示し、前記ＰＵＳＣＨが前記サブフレームで伝送される場合、前記ＨＡＲＱ−ＡＣＫは、前記ＰＵＣＣＨで伝送され、前記ＣＱＩは、前記ＰＵＳＣＨで伝送されることを特徴とする請求項１５，１６，１９のいずれか一項に記載の伝送装置。
【請求項２２】
端末とＮｏｄｅ Ｂを含む通信システムにおいてアップリンク制御情報（ＵＣＩ）を受信する装置であって、
無線リソース制御（ＲＲＣ）シグナリングを通じて、一つのサブフレームで物理アップリンク共有チャンネル（ＰＵＳＣＨ）及び物理アップリンク制御チャンネル（ＰＵＣＣＨ）の同時送信を示す設定情報を決定し、
ダウンリンクデータを送信し、
ＰＵＳＣＨ及びＰＵＣＣＨの同時送信を示す設定情報及びＰＵＳＣＨが前記サブフレームで伝送されるか否かに基づいて、前記ＰＵＳＣＨ及びＰＵＣＣＨのうち少なくとも一つで前記ＵＣＩを受信し、
前記ＵＣＩは、前記サブフレームを通じて伝送される、ハイブリッド自動再送要求確認応答（ＨＡＲＱ−ＡＣＫ）及びチャンネル品質指示子（ＣＱＩ）のうち少なくとも一つを含むことを特徴とする受信装置。
【請求項２３】
前記ＰＵＳＣＨ及びＰＵＣＣＨの同時送信を示す前記設定情報は、１ビット２進数値を有することを特徴とする請求項２２に記載の受信装置。
【請求項２４】
前記設定情報が前記ＰＵＳＣＨ及びＰＵＣＣＨの同時送信が設定されていないことを示し、前記ＰＵＳＣＨが前記サブフレームで伝送される場合、前記ＵＣＩは、前記ＰＵＳＣＨで受信されることを特徴とする請求項２２または２３に記載の受信装置。
【請求項２５】
前記設定情報が前記ＰＵＳＣＨ及びＰＵＣＣＨの同時送信が設定されたことを示し、前記ＰＵＳＣＨが前記サブフレームで伝送されない場合、前記ＵＣＩは、前記ＰＵＣＣＨで受信されることを特徴とする請求項２２または２３に記載の受信装置。
【請求項２６】
前記設定情報が前記ＰＵＳＣＨ及びＰＵＣＣＨの同時送信が設定されたことを示し、前記ＰＵＳＣＨが前記サブフレームで伝送される場合、前記ＵＣＩは、追加条件に従って前記ＰＵＳＣＨ及び前記ＰＵＣＣＨのうち少なくとも一つで受信されることを特徴とする請求項２２または２３に記載の受信装置。
【請求項２７】
前記追加条件は、前記ＵＣＩの受信のためのリソースの量であることを特徴とする請求項２６に記載の受信装置。
【請求項２８】
前記設定情報が前記ＰＵＳＣＨ及びＰＵＣＣＨの同時送信が設定されたことを示し、前記ＰＵＳＣＨが前記サブフレームで伝送される場合、前記ＨＡＲＱ−ＡＣＫは、前記ＰＵＣＣＨで受信され、前記ＣＱＩは、前記ＰＵＳＣＨから受信されることを特徴とする請求項２２，２３，２６のいずれか一項に記載の受信装置。